(57)【要約】【課題】展開型おむつ等の着用物品に取り付けられた面状ファスニングテープを止着して該物品を着用するとき、特別な調節をしなくてもファスニングテープが自然と斜め下向きになり、お腹まわりを締める方向に作用して装着者の体形に合った理想的なフィット性を実現できる展開型着用物品を提供する。【解決手段】面状ファスナーは腹側前部又は背側後部の側縁部から離れた位置にありテープ基材を介して前記側縁部に連繋するよう配設されており、前記面状ファスナーと前記側縁部との間のテープ基材中間部位はその着用物品展開状態における長手方向外側部分の伸縮性が長手方向内側部分の伸縮性よりも大きくなるようにされた展開型着用物品。【選択図】図１
2010125158.tif 000002
【特許請求の範囲】
【請求項１】
腹側前部、背側後部、及び該両部の間に介在された股下中間部を有する展開型着用物品であって、前記着用物品の前記腹側前部又は前記背側後部の幅方向両側縁部に面状ファスナーとテープ基材とで構成された面状ファスニングテープが取り付けられ、前記面状ファスナーは前記側縁部から離れた位置にあり前記テープ基材を介して前記側縁部に連繋するよう配設されており、前記面状ファスナーと前記側縁部との間のテープ基材中間部位はその着用物品展開状態における長手方向外側部分の伸縮性が長手方向内側部分の伸縮性よりも大きくなるようにされた展開型着用物品。
【請求項２】
前記テープ基材中間部位の前記物品長手方向外側部分が伸縮性部材で形成され、前記物品長手方向内側部分が非伸縮性部材で形成されている請求項１に記載の展開型着用物品。
【請求項３】
前記テープ基材中間部位の前記物品長手方向外側部分が低応力伸縮性部材からなり、前記物品長手方向内側部分が高応力伸縮性部材からなる請求項１に記載の展開型着用物品。
【請求項４】
前記テープ基材中間部位が非伸縮性の単一素材で形成され、その物品長手方向外側部分に伸縮性付与加工が施されている請求項１に記載の展開型着用物品。
【請求項５】
前記テープ基材中間部位の前記物品長手方向外側部分及び前記物品長手方向内側部分が高応力伸縮性の単一素材で形成され、かつ前記長手方向外側部分に低応力伸縮性付与加工が施されている請求項１に記載の展開型着用物品。
【請求項６】
前記テープ基材中間部位の前記物品長手方向外側部分と前記物品長手方向内側部分が互いに全域的又は部分的に分離している請求項１〜５のいずれか１項に記載の展開型着用物品。
【請求項７】
前記テープ基材中間部位の前記物品長手方向外側部分の面積が前記物品長手方向内側部分の面積よりも大きい請求項１〜６のいずれか１項に記載の展開型着用物品。
【請求項８】
前記面状ファスニングテープには前記面状ファスナーの外方に延在する先端つまみ部があり、該つまみ部の物品長手方向外側部分の面積が物品長手方向内側部分の面積より大きくなるように形成されている請求項１〜７のいずれか１項に記載の展開型着用物品。
【発明の詳細な説明】
【技術分野】
【０００１】
本発明は、展開型着用物品、特に、装着時に腹側前部と背側後部とをファスニングテープで止着する形式の展開型着用物品に関する。
【背景技術】
【０００２】
展開型の使い捨ておむつは、通常、背側に沿わされる後部、腹側に沿わされる前部、該後部と前部との間で股下に位置する中間部を有する。この中間部を乳幼児等の股下に沿わせて着用するとき、背側のサイドフラップを着用者の腹側にとどかせ固定部材によりおむつ前部の外表面に固着する。これにより、おむつを腰まわりで適度に締め付け、ずれ落ちないように固定することができる。前記固定部材としては、固着と剥離が繰り返し行える機械的な接合を可能とするファスニングテープが広く用いられている。
【０００３】
ファスニングテープは、一般的に、面状のメカニカルファスナーを有し、例えば、前記ファスナーが基材シートと共におむつのフラップ部に取り付けられた構造を有する。このメカニカルファスナーとしては、繊維等との係合を可能とする微小な鉤型のフック状突起部や、きのこ状のもの等を多数有する面状ファスナー（雄材）が挙げられる。他方、前記腹側前部で前記面状ファスナーを受ける部分は通常の不織布でもよいが、前記フック状突起部の効果的な掛かりを実現するよう、例えばループ状ないし毛羽立った表面繊維構造を有するランディングテープ（雌材）等が用いられる。
【０００４】
このようなファスニングテープの取り付け構造を提案したものとして、例えば、面状のメカニカルファスナーの長手方向の一端と、基材シートとを、本体シートの端縁部の内面に固着したファスニングテープがある（特許文献１参照）。このメカニカルファスナーには多数のきのこ形状の微小フックが設けられており、全体として本体シートから延出する方向に配設された長尺矩形の面状ファスナーとなっている。これにより、前記ファスニングテープの十分な取り付け強度が実現され、かつ製造原価の低減を可能にするとされる。また、同様のＹボンド方式のものとして、Ｔ字状のフックを多数有する平板状ファスナーと、裏打ち材とで、おむつ本体の側縁部を挟み込んだものが開示されている（特許文献２参照）。
【０００５】
また他の例として、サイドフラップに固定するファスニングテープを該サイドフラップの側縁から斜め下向きに所定角度で屈曲して形成し、前記サイドフラップへの固定部はおむつ幅方向に平行に形成したものが開示されている（特許文献３）。
さらに、特許文献４では、閉鎖システムが着用者の低運動ゾーンの中にフィットする主引張線を生じて、動的フィット性を増進し、サイドパネル（サイドフラップ）を効果的に延伸させて使用中にずれ落ちないようにしている。
【０００６】
【特許文献１】特開２００１−１３７２８０号公報
【特許文献２】特表平１０−５００３２６号公報
【特許文献３】特開２００２−２０９９３７号公報
【特許文献４】特表平８−５１０９４１号公報
【発明の開示】
【発明が解決しようとする課題】
【０００７】
この種のファスニングテープを有する展開型おむつにおいて前記ファスニングテープは、おむつ長手方向に対しておむつ側部に直角に取り付けられ、装着する際には、おむつの前身頃の幅方向に対して平行にファスニングテープを引いて止着するのが一般的である。この場合、装着時になかなか良好な装着状態にできなかったり、また着用後、着用者の動きや腹囲変動によりお腹まわりに隙間が生じたりすることがある。これは、乳幼児等のからだが単なる円筒形状ではなく、一見単調なようで実際には立体的にきわめて複雑な形状を有するためである。具体的には、乳幼児のからだの前側には大きなおなかの膨らみがあり、そこから両腿にはさまれた股間部分にかけて入りこんでいき、他方、後側では腰のあたりで緩やかに括れそこから股間に下るとおしりの割れ目があり、さらにその両側で２つに別れて大きく張り出すおしりの膨らみがある。しかも、着用時には脚まわりに対して腹囲変動が大きく、お腹まわりで型崩れが生じやすくなる。
【０００８】
このため、実際の止着作業では、母親の工夫によりファスニングテープを斜め下向きに装着する場合が多く見られる。このように装着した場合には、おむつの上部側では身体に沿って隙間なく止着されても、下部側、つまり脚まわり付近では隙間が生じ、装着時におむつがずれたりして、装着をやり直すこともよく見受けられる。
【０００９】
上記特許文献３に開示されているおむつでは、ファスニングテープの先端つまみ部（テープタブ）が斜め下向きに折曲して取り付けられているものの、おむつ本体に対する該テープの固着部にかかる力は結局おむつの幅方向に平行に作用する。したがって、お腹まわりの締め付けは、ファスニングテープの先端つまみ部がおむつ本体の側縁に対して直角になった従来のものと実質的に変りがない。
【００１０】
上記特許文献４に開示されたおむつでは、ファスニングテープのつまみ部、即ちテープタブを前身頃に固定する際、前身頃の曲線を加味すると、前記タブを斜め下向きに固定できる許容範囲が広いとはいえない。また、フラップ部（張出し部）を構成する弾性パネル材は上下の伸長方向が異なる構成となっており、構造が複雑である。そしてテープタブを引っ張る際は、単にフラップ部の上下部位の伸長の方向を異にするだけであれば、合力により平行方向に伸びて固定されることになるので、結局従来のものと変わらない。
【００１１】
本発明は、上記の点に鑑み、展開型おむつ等の着用物品に取り付けられた面状ファスニングテープを止着して該物品を着用するとき、特別な調節をしなくてもファスニングテープが自然と斜め下向きになり、お腹まわりを締める方向に作用して装着者の体形に合った理想的なフィット性を実現できる展開型着用物品の提供を目的とする。
【課題を解決するための手段】
【００１２】
本発明の上記の目的は、腹側前部、背側後部、及び該両部の間に介在された股下中間部を有する展開型着用物品であって、前記着用物品の前記腹側前部又は前記背側後部の幅方向両側縁部に面状ファスナーとテープ基材とで構成された面状ファスニングテープが取り付けられ、前記面状ファスナーは前記側縁部から離れた位置にあり前記テープ基材を介して前記側縁部に連繋するよう配設されており、前記面状ファスナーと前記側縁部との間のテープ基材中間部位はその着用物品展開状態における長手方向外側部分の伸縮性が長手方向内側部分の伸縮性よりも大きくなるようにされた展開型着用物品によって達成される。
【発明の効果】
【００１３】
本発明の展開型着用物品は、そこに取り付けられたファスニングテープを引き伸ばして止着し該物品を着用する際、特別な調節をしなくてもこのファスニングテープが自然に斜め下向きになり、お腹まわりを適度に締める方向に引っ張ることができ、その部分での隙間が生じにくくなる。しかも脚まわりは過度の締め付けを受けず、着用者の体形に適切にフィットし理想的な装着が実現できる。
【発明を実施するための最良の形態】
【００１４】
以下、本発明の展開型着用物品について、その好ましい実施形態としての乳幼児用の展開型使い捨ておむつに基づき、図面を参照しながら説明する。
図１は、本発明の好ましい実施形態である面状ファスニングテープを備えた展開型使い捨ておむつ（実施形態１）を、概ね着用したときの形態で示した斜視図である。図２は図１に示した領域ＩＩを拡大し、使い捨ておむつのファスニングテープのサイドフラップに対する取り付け状態を面状ファスナーの係着面側からみて示した部分的な拡大正面図である（図３に示した領域ＩＩの拡大図に相当する。ただし、図２においては部材の切欠は行っていない。）。なお、図２は面状ファスナーの係着を解きテープ基材が湾曲変形する前の状態で示している。
【００１５】
本実施形態１の展開型おむつ１０における面状のファスニングテープ１は左右２つが一対となり、おむつ１０の着用者の背側に配されるおむつ後部Ｒにおいて非伸縮性のシート材（表面シート４、裏面シート３、サイドシート８）（図３参照）で構成された側方張出し部（以下、サイドフラップと称する。）Ｓｒにそれぞれ配設されている。乳幼児等に着用させるときには、この後部Ｒを着用者の背側に配し、さらに、おむつ股下中央部Ｃが股間に沿うように渡し、前部Ｆを着用者の下腹部にあてる。このとき、おむつ後部ＲのサイドフラップＳｒを背中の方から腹側に渡し、この背側サイドフラップＳｒで腹側前部ＦのサイドフラップＳｆを覆うようにする。そして、ファスニングテープ１をランディングテープ（ファスナー受け部）６に圧し付けて、ファスニングテープ１に設けられた面状ファスナー１２によりランディングテープ６の表面と機械的に接合させて係着する。このようにして、おむつのウエスト開口部Ｗｏに着用者の胴まわりをとおし、一対のレッグ開口部Ｌｏに腿をとおして着用する。
【００１６】
おむつの使用後には、逆にファスニングテープ１をランディングテープ６から引き剥がし、後部のサイドフラップＳｒからおむつを展開して乳幼児等から脱がせることができる。なお、前記サイドフラップは本実施形態のように前記腹側前部Ｆあるいは前記背側後部Ｒの一部として一体に構成されていても、別部材としてもよい。
【００１７】
図３は実施形態１に係る展開型使い捨ておむつの展開状態における平面図である。同図に示したように、本実施形態１の展開型使い捨ておむつ１０は、液透過性の表面シート４、液不透過性の裏面シート３及び両シート４，３間に介在された液保持性の吸収体５を有する。ここで、表面シート４側が着用者の肌に当たる側であり、裏面シート３側が着用したときの外面側となる。おむつ全体の展開形状としては、図３に示すような実質的に縦長の砂時計形状、即ち、その長手方向の両端部（腹側前部Ｆ，背側後部Ｒ）が幅広にされ、中間部Ｃが括れる形状とされている。
【００１８】
本実施形態１においては、表面シート４及び裏面シート３、両シート４，３に介在された吸収体５、さらに表面シート４の上側で肌当接面側の幅方向両側にサイドシート８が配設され、その他、弾性部材１５，１６等と合わせて組み立てて展開型着用物品本体（おむつ本体）２が構成される。そして、このおむつ本体２の一対の背側サイドフラップＳｒの側縁Ｓｅの部分（側縁部）にファスニングテープ１が平面視において部分的に前記側縁Ｓｅから突き出るように取り付けられて乳幼児用おむつ１０が形成される。
【００１９】
図３に示すように、使い捨ておむつ１０には、吸収体５における幅方向の両側部に沿って長手方向（Ｙ方向）に延びる、一対の起立性防漏カフをなす、糸状ないし細紐状の弾性部材１５を備えた不織布からなるサイドシート８が表面シート４の表面（肌面側）に配設されている。各サイドシート８は、吸収体５の側縁近傍に対応する位置とレッグギャザー形成用の糸状ないし細紐状の弾性部材１６との間において、おむつ長手方向にわたって表面シート４上に固定されている。そして起立性の防漏カフをなす部分は表面シート４に固着されておらず、この防漏カフの自由端（内端）側には、おむつ展開状態において、おむつ長手方向と略平行に起立するようにされている。この立体ギャザーとなる防漏カフが起立して肌にしっかりと当接し、排泄物の外部への移行を遮断して横漏れを効果的に防止する。なお、図３のｋ２は防漏カフの自由端位置、ｋ１はその基端位置を表わしており、この位置ｋ１の外側方でサイドシート８は表面シート４に固着されている。
【００２０】
本実施形態１においては、上述のように、左右２つの面状ファスニングテープ１が非伸縮性シートからなる背側張出し部（サイドフラップ）Ｓｒに配設される。この面状ファスニングテープ１は、その先端側に設けられた先端つまみ部１３と、その内方側に設けられた面状のメカニカルファスナー（面状ファスナー）１２と、該面状ファスナー１２とサイドフラップＳｒとの間に配置され、かつその固定部がサイドフラップＳｒに固着されたテープ基材１１とから構成されている。その具体的な組付け構造例を図４に例示する断面形態で説明すれば、背側サイドフラップＳｒの裏面（肌側と反対側）にテープ基材１１の内端部が固着され（固定部Ｋ）、このテープ基材１１の先端部に重ねられるようにして、かつ該テープ基材１１から一部分先端側へ突出するように先端つまみ部１３が接着されている。さらに先端つまみ部１３上に重ねられるようにして面状ファスナー１２が貼着されている。なお、テープ基材１１は背側サイドフラップＳｒの表面側、或いは表面シート３とサイドシート８の間に挟んで固着されてもよい。面状ファスナー１２はおむつを着用者に装着した状態で着用者の肌側に向くように取り付けられる。また、テープ基材１１は自然形状においてサイドフラップＳｒの側縁に対して直角に延びるように取り付けられる。
【００２１】
その他の取り付け形態としては、テープ基材１１が面状ファスナー１２よりも先端側へ延在し、この先端側へ延在した部分を先端つまみ部１３としてもよい。この場合は、テープ基材１１は非伸縮性部材で形成され、後述するようにファスナー１２とサイドフラップＳｒとの間のテープ基材中間部位ｔにおいて、そのおむつ長手方向にみて外側となる部分が伸縮性あるいは低応力伸縮性を有するように伸縮性付与加工を施すのがよい。なお、先端つまみ部１３は不織布で構成されてもよい。さらに、サイドフラップＳｒは非伸縮性としたが、場合によっては伸縮性を有する素材で構成したり、弾性帯を組み込んだりしてもよい。
【００２２】
これら各部材の接着方法は特に限定されず、通常のこの種のシート材に用いられる接着剤によって接着することができる。このように本実施形態１の面状ファスニングテープ１は、シンプルな構造でありながら取付け強度が高く、また、テープ基材が自然形状においてサイドフラップに対して真直に延びるので、製造工程が煩雑にならず、しかも余計な部材や特殊な材料によることなく、優れた取扱い性、高い取付け強度を実現することができる。
【００２３】
面状ファスナー１２の内面１２ｉには、鉤状もしくはきのこ状のフックを形成する微小突起部が多数その全面にわたって設けられている。このフックを配したファスナー内面１２ｉが面状ファスニングテープの接着可能面となり、非接着時に露出し得るようにされている。面状ファスナー１２は、この接着可能面をおむつ展開状態におけるおむつ前部Ｆの裏面に配したランディングテープ６に当て、面状ファスナー１２のループ状ないし捲縮して毛羽立ちのある不織布表面の繊維にしっかりと個々のフックが係合するようにして固着される。本実施形態１においては接着可能面がメカニカルファスナーのフックにより構成されているが、この他、粘着剤等によって形成された接着可能面であってもよい。このことは、後述する実施形態においても同様である。
【００２４】
本実施形態１において、面状ファスナー１２は長方形で、かつその長手方向（Ｙ方向）を、おむつの長手方向（Ｙ方向）に向け、サイドフラップの側縁Ｓｅに沿うようにテープ基材１１のＹ方向幅のほぼ全幅Ｗにわたって広く配設されている（図２，図３）。このようにすることで、ファスナー１２の広い面でランディングテープ６にしっかりと固着され、安定した装着状態が実現される。
【００２５】
本実施形態１において、テープ基材１１は、おむつ展開状態におけるおむつ長手方向でみて、その基材外側部分１１ａ（以下、単に「外側部分」ということがある。）のテープ伸長方向（おむつ幅方向）の伸縮性（Ｅａ）が、同様におむつ展開状態におけるおむつ長手方向でみた基材内側部分１１ｂ（以下、単に「内側部分」ということがある。）のテープ伸縮性（Ｅｂ）よりも高くなっている（Ｅａ＞Ｅｂ）。前記長手方向における基材外側部分１１ａは、おむつの装着状態ではおむつの上部側に相当し、この意味では前記長手方向の基材外側部分をテープ基材１１の「上部側部分」、前記長手方向の基材内側部分１１ｂをテープ基材１１の「下部側部分」ということもできる。上記の伸縮性の大きさは、引張り試験で同一荷重時の歪の大きさをいい、この歪の大きいほうが伸縮性が大きいといえる。また、上記の荷重条件は荷重を除したときに歪がほぼ元に戻る範囲で選定される。なお、非伸縮性というとき典型的には上記定義に則って荷重を除した時に歪が戻らないことをいう。
【００２６】
具体的に実施形態１では前記テープ基材１１の固着部Ｋと面状ファスナーとの間のテープ基材中間部位ｔにおける前記上部側の部分１１ａは伸縮性部材で形成され、前記下部側の部分１１ｂは非伸縮性部材で形成されており、これによって、前記外側部分１１ａの伸縮性（Ｅａ）が前記内側部分１１ｂの伸縮性（Ｅｂ）よりも高くなっている。また、テープ基材１１の前記上部側の部分１１ａの大きさ（面積）、特に、装着状態におけるおむつ上下方向のテープ基材１１の外側部分１１ａの幅長さＤは、内側部分１１ｂより大とされるか、あるいは少なくとも両部分１１ａ，１１ｂの幅長さが同等とされている。そして、本実施形態においてテープ基材中間部位ｔの長さは１０ｍｍ以上５０ｍｍ以下とすることが好ましい（図２参照）。また、テープ基材１１の内側部分１１ｂの幅長さ（Ｗ−Ｄ）は５ｍｍ以上でテープ幅Ｗを二等分した長さ以下であることが好ましく、１０ｍｍ以上であることがより好ましい。
【００２７】
このようにテープ基材１１の前記外側部分１１ａと前記内側部分１１ｂとで伸縮性に差をもたせることにより、面状ファスニングテープ１の先端つまみ部１３を手でつまんで真横（おむつ幅方向）に引き伸ばしたとき（引張力方向Ｐｆ：図１参照）、面状ファスニングテープ１は斜め下方（引張変形方向Ｐｄ：図１参照）へ自然に移行する。すなわち腹囲を締め付ける方向に伸長し、ランディングテープ６に止着したとき、脚まわりへの引張り力ｆ２とのバランスが考慮された、お腹まわりに対して適度に強い引張り力ｆ１（図１）が作用することとなる。なお、図１に示したようにテープ基材が湾曲するのは、図２，３に示したような矩形のテープ基材１１が、その長手方向外側部分１１ａにおいて内側部分１１ｂより大きく伸張した状態で固定され湾曲したためである。
【００２８】
このようにして、本実施形態では、従来のものに対して着用者のレッグ側周囲よりもウエスト部周囲への締め付け力が増し、ウエスト部での隙間が生じるのが抑制される。また、同時に背側サイドフラップＳｒの内方端側での引張り力ｆ２（図１）が適度に作用し、母親の独自の調節によるのでは過度になったり緩くなりすぎたりしがちなレッグ部での締め付け力が適性化され、例えば赤ちゃんの腿の付根の跡つきや隙間のあきすぎなどが生じにくくなる。このような胴まわりの締め付け力と脚まわりの締め付け力との大きさないし方向のバランスは、例えば着用する乳幼児の月齢やおむつのタイプ等に応じて、上記テープ基材外側及び内側の伸縮性（Ｅａ，Ｅｂ）ないし上記テープ幅の比率（Ｄ／Ｗ）、厚さｕを適宜調節しておこなうことができる。
【００２９】
実施形態１では、面状ファスニングテープ１のテープ基材１１の外側部分１１ａを伸縮性部材、内側部分１１ｂを非伸縮性部材で構成した例を示したが、実施形態２は上部側、下部側の両部分１１ａ，１１ｂとも伸縮性部材で構成するとともに、外側部分１１ａを低応力伸縮性部材で形成し、内側部分１１ｂを高応力伸縮性部材で形成している。具体的に、テープ基材のおむつ長手方向外側部分は１０ｍｍ歪時の応力が５０ｇｆ以上７００ｇｆ以下であることが好ましく、１５０ｇｆ以上７００ｇｆ以下であることがより好ましい。内側部分は外側部分より１００ｇｆ以上高いものとすることが好ましく、１５０ｇｆ以上応力が高い部材で形成することがより好ましい。実施形態２のように、テープ基材１１の上部側、下部側で伸長応力を変えることにより、先端つまみ部１３を締め側へ引っ張ると、自然とテープ基材１１は斜め下向きに伸長し、腹囲の締め具合が強くなり、お腹まわりにフィットして隙間が生じなくなる。脚まわりは通常の締まり具合が維持される。身体の動きやミルクを飲んだときなどに腹囲変動があっても、テープ基材１１の伸縮性が働きおむつ全体として体形に追従するため、装着時の状態がそのまま維持され、窮屈さもなく、フィット性及び快適性が向上する。
【００３０】
図５は本発明の実施形態３に係る面状ファスニングテープの平面図である。この実施形態３では、テープ基材１１は非伸縮性の単一素材、または高応力伸縮性の単一素材で形成され、この単一素材に対して外側部分１１ａに伸縮性付与加工、あるいは低応力伸縮性付与加工が施され、これによって外側部分１１ａを内側部分１１ｂよりも伸縮性が高くなるようにされている。この伸縮性付与加工あるいは低応力伸縮性付与加工としては、例えば外側部分１１ａに上下に延びた多数の溝状の細孔１４を加工することで、テープ基材１１の引っ張り方向に伸縮性あるいは低応力伸縮性が確保される。なお、この伸縮性あるいは低応力伸縮性の付与加工としては、上述の形態の他に、例えば多数の点状細孔を加工してもよく、あるいは公知の縮み加工等を施すことでもよい。
【００３１】
上述の実施形態３ではいずれもテープ基材１１の上部側及び下部側とも一体に連なった単一素材で形成されているが、実施形態４の構造では、テープ基材１１として外側部分１１ａと内側部分１１ｂが上下方向（おむつ長手方向）に分離されている。この場合、外側部分１１ａは伸縮性部材で、内側部分１１ｂは非伸縮性部材で構成されるか、あるいは外側部分が低応力伸縮性部材、内側部分が高応力伸縮性部材で構成される。なお、実施形態４の変形例として完全に別体に分離されているのではなく、一部分分離された形態でもよい。このように互いに分離した別体の部材とすることにより、各々のテープ基材１１の製作が容易となり、また材料選定の自由度も向上する。面状ファスニングテープ１の先端つまみ部１３を横方向に引っ張ることにより、テープ基材１１は斜め下向きに伸長し、腹囲の締め付けが良好となり、装着時のおむつと腹囲の間の隙間がなくなり、フィット感が向上することは実施形態１〜３と同様である。
【００３２】
図６は本発明の実施形態５に係る面状ファスニングテープの平面図であり、図７は実施形態５の変形例を示す平面図である。先端つまみ部１３に隣接して面状ファスナー１２が該つまみ部上に設けられ、このファスナー１２と本体サイドフラップＳｒとの間にテープ基材１１が配設されることは実施形態１〜４と同様であるが、実施形態５では先端つまみ部１３の上下の角部が大きく丸みを帯びて欠徐されて、わん曲状に形成されている。このようにすることで、先端つみ部１３が硬質材で形成されても角部が幼児の腕や手等に当って傷付けたりする危険を排除できる。さらに図７の変形例のように、先端つまみ部１３はテープ基材１１の外側部分１１ａに対向するように上部側へ寄せて形成され、これによってこの部分を掴んで引っ張ったとき、ファスニングテープ１の外側部分１１ａに対して引き伸ばし力が強くかかり、より有効に腹まわりの締め付けがもたらされ、腹囲での隙間の発生が抑えられる。なお、この変形例においても、上方へ寄せた先端つまみ部１３の外形をわん曲形に形成して掴み易い形状にするのがよい。
【００３３】
前述のように従来の矩形の面状ファスニングテープで単なる均一素材のテープ基材をおむつ本体の側方張出し部に直角に固定したおむつでは、たとえ本体部の側方張出し部に（サイドフラップ）に伸縮性を持たせても、ファスニングテープを引っ張ったときの張力バランスがとれず、巧く幼児の腰まわりにフィットさせることができないことがある。例えば幼児のお腹のふくらんだ感じと、背中のくびれた感じの箇所にしっかりとフィットせず、隙間ができてしまうことがある。そのため、寝かせているときに、この隙間から尿や軟便が漏れ出てしまうこともある。これを改善しようとして保護者が独自の判断でやや脚の方に下向きにファスニングテープを引いて止めようとする。これが丁度良い角度と強さで引っ張って止着できればよいが、慣れない者にとっては困難な仕事となる。例えば、かえって脚まわりを締め過ぎて腿の付け根を鬱血させてしまったり、腹まわりを強く締めた分、脚まわりが緩み、結局股間から尿等が漏出したりする結果となる。
これに対し、上記各実施形態の着用物品によれば、面状ファスニングテープを上述のように単純に横方向に引っ張ることで、自然とファスニングテープが斜め下方へ引っ張られ、ほぼ理想的な脚まわりの締め具合と胴まわりの締め具合とをバランスよく両立させることができる。また、ファスニングテープの下向きの角度が固定されていないので、個々の体形に合った傾斜となり、良好な装着性およびフィット感が達成される。
【００３４】
表面シート４、裏面シート３及び吸収体５としては、通常の吸収性物品等において用いられている各種材料を用いることができる。ファスニングテープ１のテープ基材１１としては、通常のファスニングテープ付き展開型使い捨ておむつ等で用いられている不織布あるいは合成樹脂製フィルム等の各種テープ材料を用いることができ、特に、風合いや掴み易さの点から、不織布を用いることが好ましい。ランディングテープ６の形成材料としては、使い捨ておむつ等において用いられているメカニカルファスナーの雌材となる不織布や、不織布または編布を接合した合成樹脂性フィルム等が好ましく、特に、それ自身でメカニカルファスナーの雌材となる不織布が好ましい。面状のメカニカルファスナー（面状ファスナー）を形成する材料としては、例えば、通常この種の物品に用いるものを好適に使用することができる。
【００３５】
本発明に係る展開型着用物品におけるファスニングテープは、前述した実施形態に限定されることなく、適宜変更が可能である。例えばメカニカルファスナー（面状ファスナー）は雌材でもよい。その場合には、例えば、使い捨ておむつの腹側部の非肌当接面側に、対となるメカニカルファスナーの雄材をランディングテープとして設ける。また、ファスニングテープは、使い捨ておむつの腹側部の両張出し部に配されていてもよい。なお、上記各実施形態おいてはランディングテープは腹側前部のおむつ外側表面、つまり非肌当接面側の面に貼り付けられており、縦長矩形でその長さ方向が展開時のおむつの長手方向とほぼ一致している。ランディングテープは面状ファスニングテープが止着されることで、使い捨ておむつの装着形態を形成できるようになっているが、使い捨ておむつの非肌当接面側の面が、雄材のメカニカルファスナーに止着可能なシートから形成されている場合には、ランディングテープは必ずしも必要ない。また、本発明に係る展開型着用物品は上記実施形態に限定されるものではなく、要求される性能や形態に応じて、各実施形態の利点を活かして適宜選択することができる。
また本発明に係る展開型着用物品においては、テープ基材中間部位ｔのほぼ全域を摘み部１３とは異なるエラストマー等の伸縮性シートで構成してもよく、このとき物品長手方向内側の縁部のみに非伸縮性部材を配して、物品長手方向外側部分と物品長手方向内側部分とに伸縮性の差をつけるようにしてもよい。上記非伸縮性部材としては、例えば、縫い糸のような非伸縮性部材が挙げられる。さらに、長手方向外側部分を２枚の不織布シート間に弾性部材を固定した伸縮ギャザー部材により構成し、長手方向内側部分を非伸縮性の不織布により構成してもよい。さらにまた、長手方向外側部分と長手方向内側部分とは領域として区別されていればよく、この２つの部分を構成する部材の数や配置はこれに限定されない。例えば、３つ以上の伸縮性が異なる部材を適用して上記両部分に領域的な伸縮性の差をつけてもよいし、傾斜的に伸縮性が変化する部材や構造を適用して長手方向内側部分から長手方向外側部分へ向けて徐々に伸縮性が大きくなるようにしてもよい。
【００３６】
本発明の展開型着用物品は上記実施形態のような幼児用の使い捨ておむつに限定されるものではなく、大人用のおむつであってもよい。また、尿とりパッド等の吸収パッドと組み合わせて用いる展開型おむつカバーであってもよく、この場合にも吸収パッドに配設された吸収体を、上記展開型おむつに係る各実施形態の吸収体５としてみることができる。具体的には、吸収パッドの吸収体がおむつカバーの腹側前部Ｆから背側後部Ｒに股下中間部Ｃを介して配置されるように吸収パッドとおむつカバーを組み合わせて装着する。このとき、おむつカバーのサイドフラップに取り付けられたファスニングテープが上記各実施形態において示したのと同様の機能を果たし、装着者の体形に合った理想的なフィット性を実現することができる。
【００３７】
以上説明した各実施形態における本発明の利点をまとめて列記すれば、以下のとおりである。
（１）ファスニングテープを留めるとき、単純に横方向に引いても、自然と斜め下向きに留めるようになり、お腹まわり（特に脇〜背中）のフィット性が向上するとともに、腹囲で隙間が生じなくなる。
（２）ファスニングテープの傾斜角度が予め決まっていないので、個々の体形に適切に対応した締め具合が得られる。
（３）着用者のお腹の膨らみに追従するので、フィット性及び快適性が向上する。
（４）脚まわりのフィット性は従来どおり維持され、過度の締め付け等が生じない。
（５）ファスニングテープはおむつの幅方向に対して平行に取り付けられるので、製造工程や設計変更の大幅な増加はない。
【図面の簡単な説明】
【００３８】
【図１】本発明の好ましい実施形態である面状ファスニングテープを備えた展開型使い捨ておむつ（実施形態１）を、装着時の状態で示した斜視図である。
【図２】図１のＩＩの部分を、ファスニングテープを係着する前の状態でその係着面側からみた拡大断面図である。
【図３】実施形態１に係る展開型使い捨ておむつを、展開状態で示した一部切欠平面図である。
【図４】図２のＩＶ−ＩＶ線に沿った拡大断面図であって、本発明の実施形態１に係るファスニングテープと本体サイドフラップとの組み立て形態を示した断面図である。
【図５】本発明の実施形態３に係る面状ファスニングテープの拡大平面図である。
【図６】本発明の実施形態５に係る面状ファスニングテープの拡大平面図である。
【図７】実施形態５の変形例に係る面状ファスニングテープの拡大平面図である。
【符号の説明】
【００３９】
１  面状ファスニングテープ
２  おむつ本体
Ｓｒ，Ｓｆ  サイドフラップ（側方張出し部）
３  裏面シート
４  表面シート
５  吸収体
６  ランディングテープ
８  サイドシート
１０  展開型おむつ
１１  テープ基材
１１ａ  テープ基材のおむつ長手方向における外側部分
１１ｂ  テープ基材のおむつ長手方向における内側部分
１２  面状ファスナー
１３  先端つまみ部
１４  溝状の細孔
【図１】
2010125158.tif 000003
【図２】
2010125158.tif 000004
【図３】
2010125158.tif 000005
【図４】
2010125158.tif 000006
【図５】
2010125158.tif 000007
【図６】
2010125158.tif 000008
【図７】
2010125158.tif 000009